(57)【特許請求の範囲】
【請求項１】
通信路を介して外部機器から伝送されてくる音声信号を受信可能な受信手段と、該受信手段により受信した音声信号を記録可能な録音手段と、前記音声信号をモニタ用音声として出力可能な音声出力手段とを備えた通信装置において、
前記録音手段による前記音声信号の記録時に、当該音声信号を同時に前記音声出力手段によりモニタ用音声として出力するか否かを設定可能な設定手段と、
前記音声出力手段によって出力される音声の音量を調整可能な音量調整手段と、
前記設定手段により前記モニタ用音声を出力しない旨の設定がなされている場合に、前記録音手段により前記音声信号の記録をする前に、前記音量調整手段によって設定された音量を保存し、前記録音手段により前記音声信号を記録する間だけ、前記音声出力手段による音声出力を、禁止または聞き取り不能な音量にし、前記録音手段による前記音声信号の記録を終了した後は、前記保存した音量に復帰する制御を行う消音制御手段と
を備えたことを特徴とする通信装置。
【請求項２】
請求項１記載の通信装置において、
前記消音制御手段が、前記音量調整手段による調整状態にかかわらず、前記音声出力手段による音声出力を、禁止または聞き取り不能な音量にする制御を行う
ことを特徴とする通信装置。
【請求項３】
請求項１または請求項２記載の通信装置において、
汎用の操作キーが所定の手順で操作された際に、前記設定手段による設定内容を変更する設定内容変更手段
を備えたことを特徴とする通信装置。
【発明の詳細な説明】
【０００１】
【発明の属する技術分野】
本発明は、外部機器から伝送されてくる音声を録音でき、同時に録音中の音声をモニタ用音声として出力可能な通信装置に関する。
【０００２】
【従来の技術】
従来より、発信者からの伝言を録音可能な留守番電話機の中には、伝言の録音中に、その音声を受話器とは別に設けられたスピーカからモニタ用音声として出力できるようになっているものがある。
【０００３】
このような留守番電話機によれば、電話機の近傍にいながら何らかの事情で電話に出られないような場合に、録音開始と同時に発信者の伝言を聞き取ることができるので、改めて伝言を再生する手間をかけなくても、伝言内容を確認することができた。
【０００４】
【発明が解決しようとする課題】
しかしながら、上記従来の留守番電話機によれば、スピーカからモニタ用音声が出力されることにより、電話機の近傍にいる第三者にまで伝言が聞こえてしまうため、電話機の置かれている環境によっては、十分にプライバシーの保護を図ることができないという問題があった。
【０００５】
また、音量ボタンを操作してモニタ用音声の音量を小さくしたり、消したりすることはできたが、伝言を聞きたい場合には、モニタ用音声が聞こえるように、あらためて音量ボタンを操作し直さねばならないため、いちいちそのような操作が必要なのは煩わしいという問題があった。
【０００６】
なお、以上、電話機を例に挙げて従来技術の問題点を指摘したが、このような問題は、狭義の電話機に限らず、例えば、同様の録音機能を備えたファクシミリ装置などを含めて、この種の通信装置において全く同様に発生する可能性のある問題である。
【０００７】
本発明は、上記問題を解決するためになされたものであり、その目的は、モニタ用音声の音量をいちいち変更しなくても、必要に応じて伝言録音中のモニタ用音声だけを消すことができる通信装置を提供することにある。
【０００８】
【課題を解決するための手段、および発明の効果】
上述の目的を達成するために、本発明は、請求項１記載の通り、
通信路を介して外部機器から伝送されてくる音声信号を受信可能な受信手段と、該受信手段により受信した音声信号を記録可能な録音手段と、前記音声信号をモニタ用音声として出力可能な音声出力手段とを備えた通信装置において、
前記録音手段による前記音声信号の記録時に、当該音声信号を同時に前記音声出力手段によりモニタ用音声として出力するか否かを設定可能な設定手段と、
前記音声出力手段によって出力される音声の音量を調整可能な音量調整手段と、
前記設定手段により前記モニタ用音声を出力しない旨の設定がなされている場合に、前記録音手段により前記音声信号の記録をする前に、前記音量調整手段によって設定された音量を保存し、前記録音手段により前記音声信号を記録する間だけ、前記音声出力手段による音声出力を、禁止または聞き取り不能な音量にし、前記録音手段による前記音声信号の記録を終了した後は、前記保存した音量に復帰する制御を行う消音制御手段と
を備えたことを特徴とする。
【０００９】
この通信装置において、設定手段は、モニタ用音声の出力を行うか否かを、利用者が択一的に設定しておくための手段であり、出力するか否かに対応づけられる２つの状態のいずれか一方にすることができて、いずれの状態にあるかを検出できるものであれば何でもよく、具体的には、オン／オフを切替可能なスイッチ、２通りの値をいずれかに書換え可能なメモリなどを設定手段として採用することができる。
【００１０】
また、消音制御手段は、モニタ用音声の内容を聞き取れないようにするための手段であり、モニタ用音声の内容が聞き取れなければ、モニタ用音声を完全に消すのはもちろんのこと、聞き取り不能なごく小さな音量にするものであってもよい。
【００１１】
以上のように構成された通信装置によれば、設定手段によりモニタ用音声を出力しない旨の設定がなされていると、録音手段により音声信号を記録する間に限って、消音制御手段がモニタ用音声の内容を聞けなくするので、その時に、通信装置の近傍にいる第三者に伝言が聞かれてしまうことはなく、プライバシーの保護を図ることができる。また一方、録音手段により音声信号を記録する間以外は、少なくとも上記消音制御手段がモニタ用音声の内容を聞けなくすることはないので、利用者が後から伝言を聞きたい場合等には、上記設定手段による設定をいちいち変更しなくても、モニタ用音声を聞くことができる。
さらに、音量調整手段を備えているので、通信装置の設置環境や利用者の希望に応じて、モニタ用音声の音量を自由に変更できるので便利である。しかも、消音制御手段は、音量調整手段によって設定された音量を保存してから、録音手段により音声信号を記録する間だけ音声出力手段による音声出力を禁止または聞き取り不能な音量にし、その後は保存した音量に復帰する制御を行うので、モニタ用音声の音量を利用者が設定した通りの音量に戻すことができる。
【００１２】
また、このような通信装置においては、請求項２に記載のように、
前記消音制御手段が、前記音量調整手段による調整状態にかかわらず、前記音声出力手段による音声出力を、禁止または聞き取り不能な音量にする制御を行うように構成されているとよい。
【００１３】
このように構成された通信装置によれば、音量調整手段によってモニタ用音声の音量を調整しても、録音手段により音声信号を記録する間に限っては、モニタ用音声の内容を聞くことができないので、プライバシーの保護を図るといった所期の目的を達することができる。
【００１４】
なお、音量調整手段による調整状態にかかわらず、音声出力手段による音声出力を、禁止または聞き取り不能な音量にする方法としては、音量調整手段の作動自体を禁止する、音量調整手段は作動させるものの、消音制御が終わるまでは音量調整手段による調整を無効化するといった方法で、モニタ用音声を完全に消す、または聞き取り不能なごく小さい特定の音量にすればよいが、この他にも、音量調整手段による調整状態に応じて音量が変化するものの、音量調整手段によってモニタ用音声が最大音量となるように調整しても聞き取り不能なごく小さな音量までしか音量を大きくすることができないようにする、といった方法などが考えられ、これらの内どれを採用しても構わない。
【００１５】
さらに、本発明の通信装置は、設定手段によりモニタ用音声を出力しない旨の設定がなされている限り、録音手段による音声信号の記録時にモニタ用音声の内容を聞くことはできないが、機能および切替方法を外観から判断できるような設定スイッチが設定手段として採用されていると、設定手段による設定内容が故意に変更される恐れがあり、その場合は、録音手段による音声信号の記録時にもモニタ用音声が出力されてしまう。したがって、設定手段による設定内容は、第三者が容易に変更できないようにしておくことが望ましく、それには、例えば請求項３に記載のように、
汎用の操作キーが所定の手順で操作された際に、前記設定手段による設定内容を変更する設定内容変更手段
を備えているとよい。
【００１６】
このように構成された通信装置によれば、設定手段による設定内容を設定内容変更手段によって変更する場合に、汎用の操作キーを所定の手順で操作しなければならないので、この手順を知らない第三者は、設定手段による設定内容を容易に変更することができない。
【００１７】
なお、上記所定の手順は、設定手段の設定内容を変更する時以外にも使われる汎用の操作キーを、ある特定の順序で操作する手順であればよいが、さらに、厳重に設定内容の保護を図る必要があれば、暗唱番号を入力する手順など、利用者によって事前に登録された手順が含まれるようにし、任意に登録された手順を知る者以外は、設定手段の設定内容を変更できないようにしてもよい。
【００１８】
【発明の実施の形態】
次に、本発明の実施形態について一例を挙げて説明する。
本実施形態で示す通信装置は、電話回線を通信路とし、ファクシミリ通信方式により画像を伝送可能で、かつ電話機として音声も伝送可能に構成されたファクシミリ装置である。
【００１９】
図１に示すように、ファクシミリ装置１は、その外装が、下部ケース１ａと、下部ケース１ａの上面前側に固定された操作パネル１ｂと、下部ケース１ａの上面後側に取り付けられた上部カバー１ｃとで構成されている。
これらの内、下部ケース１ａの左側には、ファクシミリ装置１を電話機として使用したり、交換機側からの信号音を確認する際に使われる送受話器２が取り付けられ、下部ケース１ａの右側には、送受信される音声をモニタ用音声として出力する際に使われるスピーカ３が取り付けられている。そして、下部ケース１ａの正面側には、送信画像または複写画像の読み取りを終えた原稿が排出される原稿排出口４が形成されている。また、操作パネル１ｂの上面には、多数の操作キーを有するキー入力装置６と、ドットマトリクス方式で任意の文字等を表示可能な液晶ディスプレイ装置８（以下、ＬＣＤ８という）が配設されている。また、上部カバー１ｃの上面後部には、未使用の記録紙が収納される給紙ケース１０が突設され、その給紙ケース１０の前面側には、受信画像または複写画像の記録を終えた記録紙が排出される記録紙排出口１２が形成されている。そして、上部カバー１ｃの上面前部には、送信画像または複写画像の読み取りを行うべき原稿が載置される原稿台１４が形成されている。
【００２０】
また、上部カバー１ｃは、図２に示すように、下部ケース１ａに対して後端側を中心に回動可能に取り付けられ、インクリボンカートリッジ１６の脱着／装着を行う際、あるいは装置内部のメンテナンス等を行う際に、上方へ回動させて開放状態にすることができる。なお、上記インクリボンカートリッジ１６は、インクリボン供給部１６ａおよびインクリボン回収部１６ｂのそれぞれに内蔵された一対のロールを備え、そのロール間に記録紙と略同幅のインクリボン１６ｃを張設保持し、記録に伴ってインクリボン供給部１６ａから新しいインクリボン１６ｃを繰り出すとともに、インクリボン回収部１６ｂで使用済みのインクリボン１６ｃを巻き取るように構成されている。インクリボン１６ｃの上面側には、熱溶融性のインクが塗布されており、そのインク塗布面と記録紙とを重ね合わせた状態で、両者が記録紙と略同幅のライン型記録ヘッドおよびプラテンローラの間に送り込まれ、熱転写方式で画像の記録が行われる。
【００２１】
次に、このファクシミリ装置１の制御系について説明する。
ファクシミリ装置１の制御系は、図３に示す通り、装置各部の動作を制御する周知のＣＰＵ２１を中心にして、ＲＯＭ２２、ＥＥＰＲＯＭ２３、ＲＡＭ２４、プリンタ部２６、スキャナ部２７、ネットワークコントロールユニット２８（以下、ＮＣＵ２８という）、モデム２９、アンプ３２、原稿センサ３４、記録紙センサ３５、インクリボンセンサ３６、上部カバーセンサ３７などを配して構成され、上記キー入力装置６およびＬＣＤ８も、上記ＣＰＵ２１によって制御される。
【００２２】
これらの内、ＲＯＭ２２には、ＣＰＵ２１にて実行される制御プログラムや各種データ等が格納されている。また、ＥＥＰＲＯＭ２３は、電力が供給されない状態でも格納されたデータを保持可能な不揮発性メモリで、ここには利用者が任意に変更する各種設定データ等が格納される。ＲＡＭ２４は、動作実行時の各種データを一時的に格納するためのメモリで、このＲＡＭ２４内には、送信すべき画像のイメージデータを送信前に蓄積するための送信画像格納領域、受信した画像のイメージデータを印刷前に蓄積するための受信画像格納領域、留守番応答時に通信先へ送出すべき応答メッセージ（以下、ＯＧＭという）を格納するためのＯＧＭ格納領域、留守番応答時に通信先から送られてきた入来メッセージ（以下、ＩＣＭという）を格納するためのＩＣＭ格納領域等が確保される。
【００２３】
プリンタ部２６は、記録紙に対して熱転写記録を行う機構で、より詳細には、記録紙を搬送するための搬送モータ、搬送モータとＣＰＵ２１との間に介在するドライバ回路、記録紙に対する熱転写記録を行うライン型記録ヘッド、記録ヘッドとＣＰＵ２１との間に介在するドライバ回路などから構成される。また、スキャナ部２７は、読み取り対象となる原稿の画像を光学的に読み取って電気信号に変換する機構で、より詳細には、原稿を搬送するための搬送モータ、搬送モータとＣＰＵ２１との間に介在するドライバ回路、原稿を読み取るためのライン型イメージセンサ、イメージセンサとＣＰＵ２１との間に介在するドライバ回路などから構成される。
【００２４】
ＮＣＵ２８は、電話回線を介して他のファクシミリ装置との間で信号の送受信を行う装置であり、モデム２９は、送受信する信号の変調／復調を行う装置である。また、アンプ３２は、スピーカ３からモニタ用音声を出力するために、送受信する信号音を増幅する回路である。
【００２５】
さらに、原稿センサ３４は、原稿台１４にセットされた原稿の有無を検出するセンサ、記録紙センサ３５は、給紙ケース１０にセットされた記録紙の有無を検出するセンサ、インクリボンセンサ３６は、インクリボン１６ｃの有無を検出するセンサ、上部カバーセンサ３７は、上部カバー１ｃの開閉状態を検出するセンサである。これらのセンサは、いずれも検出対象となる物体が、所定位置に存在するか否かを検出するセンサであり、より具体的には、例えば、検出対象物との接触／非接触に応じてオン／オフがいずれかに切り替わる接触式センサ、検出対象物を挟んで配置した発光素子および受光素子からなる光センサ、検出対象物に向かって光を照射する発光素子およびその反射光を受光する受光素子からなる光センサなどによって構成することができる。
【００２６】
なお、ファクシミリ装置１は、ＮＣＵ２８を介して電話回線４１に接続され、この電話回線４１は交換機４２に接続されている。交換機４２には、電話回線４３を介して他の通信装置４４（ファクシミリ装置や電話機等）などが接続され、ファクシミリ装置１または他の通信装置４４のいずれか一方の機器から、他方の機器への接続要求があった場合に、交換機４２が他方の機器を呼び出し、その呼び出しに他方の機器が応じれば、交換機４２がファクシミリ装置１と他の通信装置４４とを接続し、その結果、両者間で通信ができる状態となる。
【００２７】
次に、ファクシミリ装置１におけるＩＣＭ録音モニタ設定処理について、図４のフローチャートに基づいて説明する。このＩＣＭ録音モニタ設定処理は、ＩＣＭの録音を行う際に、このＩＣＭを同時にスピーカ３からモニタ用音声として出力するか否かを設定する処理である。
【００２８】
このファクシミリ装置１では、キー入力装置６上の各種操作キーの状態が、ＣＰＵ２１により常に監視されており、これらの操作キーの内、利用者が「機能キー」、「６キー」、「６キー」、「セットキー」の順にキー操作を行うと、それを受けて図４に示すＩＣＭ録音モニタ設定処理が開始される。
【００２９】
ＩＣＭ録音モニタ設定処理を開始すると、ＣＰＵ２１は、まず、ＥＥＰＲＯＭ２３に格納されたＩＣＭ録音モニタ用の設定データを読み出す（Ｓ１０２）。この設定データは、モニタ用音声を出力する場合に「ＯＮ」、出力しない場合に「ＯＦＦ」となっている。この設定データを読み出したら、ＣＰＵ２１は、ＬＣＤ８に現在の設定状態を表示する（Ｓ１０４）。ここでは、上記設定データに応じて、「ルスロク  モニター：ＯＮ」または「ルスロク  モニター：ＯＦＦ」のいずれかが表示される。
【００３０】
続いて、キー入力装置６上のいずれかのキーが操作されるまで待機し（Ｓ１０５：ＮＯ）、いずれかのキーが操作されたら（Ｓ１０５：ＹＥＳ）、そのキーが「左矢印キー」または「右矢印キー」のいずれかであるか否かをチェックする（Ｓ１０６）。ここで、「左矢印キー」または「右矢印キー」のいずれかが操作されていれば（Ｓ１０６：ＹＥＳ）、ＣＰＵ２１は、上記設定データのＯＮ／ＯＦＦを切り替え（Ｓ１０８）、Ｓ１０４の処理へ戻る。これにより、ＬＣＤ８の画面上では、上記「ルスロク  モニター：ＯＮ」または「ルスロク  モニター：ＯＦＦ」の表示が交互に切り替わる。また、キー入力装置６上の「セットキー」が操作された場合は（Ｓ１０６：ＮＯ，Ｓ１１０：ＹＥＳ）、その時の設定データをＥＥＰＲＯＭ２３に格納して（Ｓ１１２）、本処理を終了する。
【００３１】
なお、キー入力装置６上の「左矢印キー」、「右矢印キー」、または「セットキー」のいずれでもない操作キーが操作された場合は（Ｓ１０６：ＮＯ，Ｓ１１０：ＮＯ）、誤操作である旨を利用者に対して報知するため、エラー音を鳴動させて（Ｓ１１４）、Ｓ１０５の処理へと戻り、再びキー操作がなされるのを待つ。
【００３２】
以上のＩＣＭ録音モニタ設定処理により、ＥＥＰＲＯＭ２３内に確保された所定の記憶領域には、ＯＮ／ＯＦＦいずれかが記憶される。
次に、ＩＣＭ録音処理について、図５のフローチャートに基づいて説明する。このＩＣＭ録音処理は、留守番応答時に通信先から送られてくるＩＣＭを録音する処理である。留守番応答時には、通信先との接続が行われた後、まず、通信先へＯＧＭを送出するＯＧＭ送出処理を実行し、それに続いて、図５に示すＩＣＭ録音処理が開始される。
【００３３】
ＩＣＭ録音処理を開始すると、ＣＰＵ２１は、まず、ＥＥＰＲＯＭ２３に格納されたＩＣＭ録音モニタ用の設定データを読み出し（Ｓ２０２）、この設定データが「ＯＦＦ」となっていれば（Ｓ２０４：ＹＥＳ）、現在のスピーカ音量をＲＡＭ２４に保存して（Ｓ２０６）、スピーカ音量を０（ゼロ）にセットする（Ｓ２０８）。これにより、利用者が事前にどの様に音量を設定していたとしても、以後は、スピーカ３から音が出ない状態になる。
【００３４】
続いて、ＩＣＭ録音用のタイマをセットして（Ｓ２１０）、ＩＣＭの録音を行う（Ｓ２１２）。このＳ２１２の処理では、通信先から送信されてくる音声を、所定の波形符号化方式により符号化して音声データとし、この音声データをＲＡＭ２４のＩＣＭ格納領域に記憶させる。そして、交換機４２からビジートーンが送信されてくる状態になく、かつ、無音状態が続く状態でもなく（Ｓ２１４：ＮＯ）、しかも、Ｓ２１０の処理でタイマをセットしてから所定時間が経過していなければ（Ｓ２１６：ＮＯ）、Ｓ２１２の処理へ戻り、以後、Ｓ２１２〜Ｓ２１６の処理を繰り返しながら録音を継続する。なお、このＳ２１２〜Ｓ２１６の処理が繰り返されている間は、スピーカ３からいっさい音が出ないので、ＩＣＭが第三者に聞かれてしまう恐れがなく、プライバシーの保護を図ることができる。
【００３５】
さて一方、交換機４２からビジートーンが送信されてくるか、所定時間以上の無音状態が続いた場合（Ｓ２１４：ＹＥＳ）、あるいは、Ｓ２１０の処理でタイマをセットしてから所定時間が経過した場合は（Ｓ２１６：ＹＥＳ）、ＩＣＭの録音を停止する（Ｓ２１８）。そして、Ｓ２０６の処理でＲＡＭ２４に保存した値を、あらためてスピーカ音量としてセットする（Ｓ２２０）。これにより、以後は、利用者が事前に設定していた音量で、スピーカ３から音が出る状態になる。
【００３６】
ところで、利用者がキー入力装置６上の「ボリュームキー」を操作した場合、上記ＩＣＭ録音処理の実行中であるか否かを問わず、図６に示す音量変更処理が開始される。
音量変更処理を開始すると、ＣＰＵ２１は、まず、ＩＣＭ録音中であるか否かをチェックし（Ｓ３０２）、ＩＣＭ録音中でなければ（Ｓ３０２：ＮＯ）、「ボリュームキー」操作前の音量と操作に応じて、新たに変更したスピーカ音量をセットし（Ｓ３０４）、その音量をＬＣＤ８に表示する（Ｓ３０６）。これにより、以後は、ＬＣＤ８に表示された音量で、スピーカ３から音が出る状態になる。
【００３７】
一方、Ｓ３０２の処理において、ＩＣＭ録音中であった場合は（Ｓ３０２：ＹＥＳ）、さらに、ＥＥＰＲＯＭ２３に格納されたＩＣＭ録音モニタ用の設定データを読み出し（Ｓ３０８）、この設定データが「ＯＮ」となっていれば（Ｓ３１０：ＹＥＳ）、上記Ｓ３０４、Ｓ３０６の処理を行う一方、設定データが「ＯＦＦ」となっていれば（Ｓ３０６：ＮＯ）、上記Ｓ３０４、Ｓ３０６の処理を行う代わりに、音量の変更ができない旨を利用者に対して報知するため、拒否音を鳴動させて（Ｓ３１２）、本処理を終える。
【００３８】
したがって、ＩＣＭ録音中で、かつＩＣＭ録音モニタ用の設定データが「ＯＦＦ」となっている場合は、音量が変更されることはなく、この時は、上記ＩＣＭ録音処理によってスピーカ音量が０（ゼロ）となっているため、「ボリュームキー」が操作されてもスピーカ３から音が出ない状態が維持されることになる。
【００３９】
以上説明したように、このファクシミリ装置１によれば、ＥＥＰＲＯＭ２３に格納されたＩＣＭ録音モニタ用の設定データを「ＯＦＦ」にしておけば、ＩＣＭの録音を行う間に限って、スピーカ３から出る音の音量が０（ゼロ）になり、「ボリュームキー」も使えなくなるので、ファクシミリ装置１の近傍にいる第三者にＩＣＭが聞かれてしまうことはなく、プライバシーの保護を図ることができる。また一方、ＩＣＭの録音を行う間以外は、ＩＣＭ録音モニタ用の設定データが「ＯＮ」、「ＯＦＦ」いずれになっていても、スピーカ３から音が出る上に、「ボリュームキー」で自由に音量を調整できるので、利用者が後からＩＣＭを聞きたい場合等には、上記設定手段による設定をいちいち変更しなくても、希望の音量でモニタ用音声を聞くことができる。
【００４０】
また、ＩＣＭ録音モニタ用の設定データのＯＮ／ＯＦＦを変更するには、まず「機能キー」、「６キー」、「６キー」、「セットキー」の順序でキー操作を行わねばならず、この操作手順を知らない第三者が、ＩＣＭ録音モニタ用の設定データのＯＮ／ＯＦＦを容易に変更することはできない。また、ＩＣＭ録音モニタ用の設定データは、ＥＥＰＲＯＭ２３に格納されているので、電力を遮断しても設定データのＯＮ／ＯＦＦがいずれかに変更されてしまうことはない。したがって、キー入力装置６上に専用の切替スイッチを設けたようなものや、揮発性のメモリに設定データを格納したものに比べると、設定データのＯＮ／ＯＦＦが、故意または過失によって第三者に変更されてしまう可能性が低い。
【００４１】
以上、本発明の実施形態について説明したが、本発明の実施形態については上記のもの以外にも種々の具体的形態が考えられる。
例えば、上記ファクシミリ装置１では、ＩＣＭ録音時のスピーカ音量を０（ゼロ）にしていたが、これに限らず、内容を聞き取ることができない程度のごく小さな音量にするものであってもよい。ちなみに、前者の場合は、第三者にＩＣＭが聞かれてしまう恐れが皆無であるというメリットがあるが、後者の場合は、ＩＣＭの録音が行われている最中であることを確認できるというメリットがあるので、故意にＩＣＭを聞こうとする第三者がいない環境であれば、後者の構成を採用しても有益である。
【００４２】
【００４３】
さらに、上記ファクシミリ装置１では、キー入力装置６上の汎用の操作キーを所定の順序で数回操作すると、ＩＣＭ録音モニタ用の設定データを変更できたが、さらに、厳重に設定データの保護を図るのであれば、利用者が任意に変更できる操作手順を含むようにしてもよい。具体的には、例えば、利用者が事前に暗唱番号を登録して、その暗唱番号を入力する手順に相当するキー操作を行わないと、設定データを変更できないようにしてもよい。また、暗唱番号を登録することにすると、暗唱番号の入力時に操作される操作キーが番号キーに限られてしまうので、キー入力装置６上の操作キー全てを登録の対象とし、登録された手順でキー操作を行わないと、設定データを変更できないようにしてもよい。いずれにしても、汎用の操作キーが所定の手順で操作された際に、設定データを変更する構成になるので、第三者によって設定データが変更されてしまう可能性が低くなる。
【００４４】
なお、上記説明では、本発明の具体的な実施形態として、ファクシミリ装置１を例に挙げたが、通信先から送信されてくる音声を録音する機能、およびスピーカからモニタ用音声を出力する機能を兼ね備えていれば、ファクシミリ装置に限らず、例えば、電話機、通信機能付パーソナルコンピュータなどの各種通信装置において、本発明の構成を採用することができる。
【図面の簡単な説明】
【図１】  実施形態としてのファクシミリ装置の外観を示す斜視図である。
【図２】  上記ファクシミリ装置の上部カバーを開放してインクリボンカートリッジを脱着した状態を示す斜視図である。
【図３】  上記ファクシミリ装置の制御系を示すブロック図である。
【図４】  ＩＣＭ録音モニタ設定処理のフローチャートである。
【図５】  ＩＣＭ録音処理のフローチャートである。
【図６】  音量変更処理のフローチャートである。
【符号の説明】
１・・・ファクシミリ装置、１ａ・・・下部ケース、１ｂ・・・操作パネル、１ｃ・・・上部カバー、２・・・送受話器、３・・・スピーカ、４・・・原稿排出口、６・・・キー入力装置、８・・・液晶ディスプレイ装置（ＬＣＤ）、１０・・・給紙ケース、１２・・・記録紙排出口、１４・・・原稿台、１６・・・インクリボンカートリッジ、１６ａ・・・インクリボン供給部、１６ｂ・・・インクリボン回収部、１６ｃ・・・インクリボン、２１・・・ＣＰＵ、２２・・・ＲＯＭ、２３・・・ＥＥＰＲＯＭ、２４・・・ＲＡＭ、２６・・・プリンタ部、２７・・・スキャナ部、２８・・・ネットワークコントロールユニット（ＮＣＵ）、２９・・・モデム、３２・・・アンプ、３４・・・原稿センサ、３５・・・記録紙センサ、３６・・・インクリボンセンサ、３７・・・上部カバーセンサ。
【図１】
0003890674.tif 000002
【図２】
0003890674.tif 000003
【図３】
0003890674.tif 000004
【図４】
0003890674.tif 000005
【図５】
0003890674.tif 000006
【図６】
0003890674.tif 000007